(57)【要約】【課題】携帯電話機に対して、簡単な操作により、予め登録された複数の相手先より、選択して所望の相手先に電話の発信を指示する簡易端末器を提供する。【解決手段】ステッキ２ｂに設けた簡易端末器２のアップ／ダウンボタン３４を操作して１〜０(１０)の番号の１つを選択し、電話本体器１に無線で送信し、その番号に対応して記憶してある相手先名を、電話機本体器１から簡易端末器２に受信して液晶表示部２２に表示し、利用者の所望の相手先が表示された時、通話ボタン３２又は緊急ボタン３３が操作されると、その一般通話、緊急通話の選択相手先のダイヤル番号に電話発信するよう指示する信号を電話本体器１に送信する。【選択図】  図４
2007251496.tif 000002
【特許請求の範囲】
【請求項１】
携帯電話機に電話の発信を指示するための簡易端末器であって
前記携帯電話機との間で無線により信号の送信・受信を行う通信手段と、
１桁の複数の番号より１つの番号を選択入力する番号選択入力手段と、
前記入力された番号に対応する相手先名を表示する表示手段と、
この表示手段に所望の相手先名が表示されたときに操作され、前記携帯電話機へ前記相手先に電話の発信を指示する通話指示入力手段と、
を備えることを特徴とする簡易端末器。
【請求項２】
前記通話指示入力手段は、一般通話を指示するため第１の通話指示入力手段と、緊急通話を支持するための第２の通話指示入力手段とを、備えることを特徴とする請求項１記載の簡易端末器。
【請求項３】
前記第１の通話指示入力手段による一般通話を指示できる相手先は、予め登録される１０個以下の所定数の相手先より選択可能としたことを特徴とする請求項２記載の簡易端末器。
【請求項４】
前記第２の通話指示入力手段による緊急通話を指示する相手先は、予め設定された1ないし数個の相手先を選択可能としたことを特徴とする請求項２記載の簡易端末器。
【請求項５】
前記緊急通話の指示によって、携帯電話機より音声メーッセージ、音声による位置情報の発信を指示するものであることを特徴とする請求項４記載の簡易端末器。
【請求項６】
前記緊急通話の指示によって、メールによりメーッセージ、及び位置情報の発信を指示するものであることを特徴とする請求項４記載の簡易端末器。
【請求項７】
前記簡易端末器は、利用者が携帯電話機とともに所持する携行物に付設されるものであることを特徴とする請求項１、請求項２、請求項３、請求項４、請求項５又は請求項６記載の簡易端末器。
【請求項８】
前記携行物は、ステッキであることを特徴とする請求項７記載の簡易端末器。
【請求項９】
前記携行物は、手押し車であることを特徴とする請求項７記載の簡易端末器。
【請求項１０】
前記携行物は、カバンあるいはバッグであることを特徴とする請求項７記載の簡易端末器。
【請求項１１】
前記携行物は、警察官が所持する警棒であることを特徴とする請求項７記載の簡易端末器。
【請求項１２】
前記携行物は、ファッションベルト、ファッション腕輪、ファッションキーホルダなどのファッショングッズであることを特徴とする請求項７記載の簡易端末器。
【請求項１３】
無線で携帯電話機と信号を授受する簡易端末器を用いて発信を開始するようにした携帯電話機の通話方法であって、
簡易端末器において、１桁の複数の番号より１つの番号を番号指定入力手段で入力して、その番号を前記携帯電話機に送信し、前記携帯電話機で予め登録されている相手先登録部より前記送信されてきた番号に対応する相手先名を読み出して簡易端末器に返送し、簡易端末器で前記相手先名を表示部に表示し、利用者が前記表示された相手先に通話を所望する場合に、通話指示入力手段の操作により通話指示信号を前記携帯電話機に送信し、携帯電話機は、通話指示信号を受けて前記相手先への通話を開始するようにしたことを、特徴とする簡易端末器使用の携帯電話機の通話方法。
【発明の詳細な説明】
【技術分野】
【０００１】
この発明は、携帯電話機を簡単な操作でリモート操作する携帯電話機用の簡易端末器、及びこの簡易端末器を用いた携帯電話機の通話方法に関する。
【背景技術】
【０００２】
近年、携帯電話機の広範な普及により、若年者や高齢者も含め、国民１人、１人が専用電話機を使用しているといっても過言ではない状況である。この事実より、公衆回線を介して通信を行うこれら携帯電話機は、今や生活必需品である。
【０００３】
そして、現行の携帯電話機は、通常の通話機能の他に、メール機能も備え、さらには、ＧＰＳによる位置情報、お財布携帯、地震などの災害の緊急通話も備えるに至っている。
しかし、一方では、携帯電話機の機能の高度化に対応し難い情報弱者も多く存在しており、これら情報弱者にとって現在普及の携帯電話機の操作部はボタンの数が多く、各ボタンが小さいので、入力し辛い、表示部が小さくて見難い、高機能のため１つの機能を活用するために多くのボタンを操作せねばならず、操作方法が難しく、分からない、などの理由で、高機能の利便性を享受できないというのも現実である。
【０００４】
ところで、小さな子供や、老人など誰にでも簡単・容易に使いこなせる、操作を単純化した携帯電話機として、単一の特定ダイヤル番号記憶手段と、常態では携帯電話機のケーシング外面において唯１つ露呈した操作ボタンとを備え、常態における発信時には前記操作ボタンを操作することによって、前記特定ダイアル番号記憶手段に記憶された前記特定ダイヤル番号への発信を行うようにしたものが、開示されている（例えば特許文献１参照）
【特許文献１】特開平０９−０６４９５０号公報
【発明の開示】
【発明が解決しようとする課題】
【０００５】
上記したように近年の携帯電話機は、著しく高度に機能化している。しかし情報弱者にとって、現行の携帯電話機の全ての機能は必要でなく、使用する機能を限定してもさしつかえないものの、高機能化のため操作部が小さく、入力が困難であること、表示部が小さく見がたいという問題がある。
【０００６】
このような情報弱者にとっての不便を解消するためには、情報弱者専用の携帯電話機を製作するということも考えられる。例えば上記特許文献１に記載の携帯電話機もその１つである。しかし、情報弱者用の携帯電話機となると、サイズを大きくせざるを得ず、日常の携帯に適さない、特許文献１に記載の携帯電話機のように、携帯電話機に特別に操作ボタンを設ける必要があり、また需要数の面より考えて高価なものとなる、等の問題がある。
【０００７】
また、特許文献１に記載の携帯電話機では、単一の特定ダイヤル番号のみしか発信できないので、情報弱者といえども、特定単一の相手先にしか発信できず、この機能のみでは、日常の使用に対応しきれない、という問題が残る。
【０００８】
この発明は、上記問題点に着目してなされたものであって、情報弱者といえども、一般市販の携帯電話機により通話を行い、それでいて、この携帯電話機に対して、簡単なリモート操作により、予め登録された相手先より選択して、所望の相手先に通話に関する指示を入力し得る簡易端末器、及び簡易端末器を用いた携帯電話機の通話方法を提供することを目的とする。
【課題を解決するための手段】
【０００９】
この発明の簡易端末器は、携帯電話機に電話の発信を指示するための簡易端末器であって、前記携帯電話機との間で無線により信号の送信・受信を行う通信手段と、１桁の複数の番号（１，２、・・・、０）より１つの番号を選択入力する番号選択入力手段（アップ／ダウンボタン）と、前記入力された番号に対応する相手先名を表示する表示手段と、この表示手段に所望の相手先名が表示されたときに操作され、前記携帯電話機へ前記相手先に電話の発信を支持する通話指示入力手段と、を備えることを特徴とする。
【００１０】
この発明の簡易端末器において、前記通話指示入力手段は、一般通話を指示するため第１の通話指示入力手段(通話ボタン)と、緊急通話を支持するための第２の通話指示入力手段(緊急ボタン)とを、備えることが好ましい。
【００１１】
また、この発明の簡易端末器において、前記第１の通話指示入力手段による一般通話を指示できる相手先は、予め登録される１０個以下の所定数の相手先より選択可能とすることができる。
【００１２】
また、この発明の簡易端末器において、前記第２の通話指示入力手段による緊急通話を指示する相手先は、予め設定された数個の相手先により選択可能とすることができる。
【００１３】
また、この発明の簡易端末器において、前記緊急通話の指示によって、携帯電話器より音声メッセージ、音声による位置情報の発信を指示することもできる。
【００１４】
また、この発明の簡易端末器において、前記緊急通話の指示によって、メールによりメッセージ、及び位置情報の発信を指示することが出来る。
【００１５】
また、この発明の簡易端末器において、前記簡易端末器は、利用者が携帯電話器とともに所持する携行物に付設されるものであることが好ましい。
【００１６】
この発明の簡易端末器が付設される携行物は、例えばステッキ、手押し車、ランドセル、カバン、バッグ、警棒、ファッショングッズなどである。
【００１７】
また、この発明の簡易端末器を用いた携帯電話機の通話方法は、簡易端末器において、１桁の複数の番号より１つの番号を番号指定入力手段で入力して、その番号を無線で前記携帯電話機に送信し、前記携帯電話機で予め登録されている相手先登録部より前記送信されてきた番号に対応する相手先名を読み出して簡易端末器に無線で返送し、簡易端末器で前記相手先名を表示部に表示し、利用者が前記表示された相手先に通話を所望する場合に、通話指示入力手段の操作により通話指示信号を前記携帯電話機に無線で送信し、携帯電話機は、通話指示信号を受けて前記相手先への通話を開始するようにしたことを、特徴とする
【発明の効果】
【００１８】
この発明によれば１桁の番号を入力することによる相手先の表示と、この表示相手先を通話先と特定してボタン操作により発信を携帯電話機に指示するものであり、番号入力が簡単であり、表示も見易いので、情報弱者にとっても簡単容易に操作でき、かつ、この操作により、情報弱者にとって必要とする機能について携帯電話機を活用することができる。
【００１９】
また、この発明において、通話指示入力手段として、緊急通話を指示するための指示入力手段、つまり緊急ボタンも設けることにより、携帯電話機における緊急通話機能を簡単な操作で活用できる。
【００２０】
また、この発明の簡易端末器を、ステッキ、ランドセル、カバン、バッグ、ファッショングッズ、手押し車、警棒その他の携行物に付設しておくことにより、操作しにくい携帯電話機を操作することなく、簡単容易に所要の通話を、携帯電話機を通して行うことができる。
【発明を実施するための最良の形態】
【００２１】
以下、実施の形態により、この発明をさらに詳細に説明する。図１は、この発明の一実施形携帯電話装置の機器構成を示す図である。この実施形態携帯電話装置は、一般によく知られ市販されているタイプのものと同様の携帯電話機である電話本体器１と、この電話本体器１を簡便に操作するための簡易端末器２とから構成されている。電話本体器１は、簡易端末器２からの操作指示によっても、無線公衆回線を介して通話相手（受信者）と交信が行えるように構成されている。この実施形態携帯電話装置は、電話本体器１において通常の利用態様が可能であり、発信時は、簡易端末器２の操作のみで、電話本体器１を介して通常の通話態様が可能となっている。
【００２２】
電話本体器１は、図４に外観を示すように、送・受信用のアンテナ３が、本体ハウジング１ａの上端側に、突出配置されている。また本体ハウジング１ａの上表面に、呼出し番号の入力など必要な操作を行う操作ボタン群を有する操作ボタン部５と、操作ボタン群の操作によるメッセージ等の表示を行う液晶表示部６とを配置している。
【００２３】
また、電話本体器１の本体ハウジング１ａ内には、図２に回路ブロック図で示すように回路部としての操作ボタン部５、液晶表示部６に加え、アンテナ３で送・受信される高周波信号に対し増幅など必要な電気的処理を行う高周波信号処理部７と、受信信号には復調処理を施し、送信信号には変調処理を施す変調・復調処理部８と、受信した復調済信号は音声信号化するとともに、送信すべき音声信号は送信信号化する音声信号処理部９と、音声信号に対し増幅など必要な電気的処理を行うオーディオアンプ１０と、受信者音声信号を微弱音で報知するマイクロスピーカ１１と、使用者の発生音を音声信号に変換するマイクロフォン１２と、制御信号処理部１３と、操作ボタン部５のボタン操作に伴う入力処理や受信内容の表示処理、あるいは各部の連携処理などを実行するアプリケーションコンピュータ１４と、後述する簡易端末器２との送・受信のためのブルートゥース（Ｂｌｕｅｔｏｏｔｈ）送・受信用アンテナ４と、このアンテナ４で送・受信される微弱信号に対し、増幅等の必要な電気的処理を行うブルートゥース信号処理部１５と、を備えている。
【００２４】
この電話本体器１では、回線が接続されて通話状態に入った場合、アンテナ３で電波受信された信号は、高周波信号処理部７による電気的信号と変調・復調処理部８による復調処理を順に経て、さらに音声信号処理部９で音声信号になった後、オーディオアンプ１０で必要な電気的処理を行い、マイクロスピーカ１１から通話相手の声などとして微弱音で報知（放送）されることになる。
【００２５】
又、逆にマイクロフォン１２から入力された受信者の音声信号は、オーディオアンプ１０で必要な電気的処理を受けてから、音声信号処理部９により送信信号に変換された後、さらに変調・復調処理部８による変調処理と高周波信号処理部７による電気的処理とを順に経て、アンテナ３から電波発信されることになる。
【００２６】
簡易端末器２からの受信については、簡易端末器２からの微弱電波がアンテナ４で受信され、この信号が、ブルートゥース信号処理部１５により電気的信号に変換され、制御信号処理部１３と、アプリケーションコンピュータ１４経由で携帯電話器１の標準機能を動作させる。
【００２７】
又、簡易端末器２への発信は、アプリケーションコンピュータ１４と制御信号処理部１３とブルートゥース信号処理部１５で電気的処理を経て、アンテナ４から電波発信されることになる。
【００２８】
また、電話本体器１において、アプリケーションコンピュータ１４の記憶領域に、図９に示すような、番号１〜０（１０）に対応して、相手先名と相手先電話番号が登録される相手先登録部を備えている。この相手先登録部は、電話本体器１に、通常の携帯電話機能として備えているものであり、一般には、アドレスも１０より、多いが、ここでは、後述の簡易端末器２との関係で、使用される相手先名として、示している。もちろん利用者によっては、登録される相手先は１０個に満たない数であってもよい。
【００２９】
簡易端末器２は、図４に外観を示すように、ハウジング２ａが、外観がステッキ状の形体をした基体２ｂに装着されている。ステッキ状の基体２ｂの頭部である把持部２ｃに、凹部２ｄが設けられ、ここに、簡易端末器２のハウジング２ａが装着されている。簡易端末器２のハウジング２ａの上表面には、操作ボタン部２１と、液晶表示部２２とを設けている。
【００３０】
また、簡易端末器２のハウジング２ａ内に、図３に回路ブロック図で示すように、回路部としての操作ボタン部２１、液晶表示部２２に加え、送・受信用アンテナ２０と、アンテナ２０で送・受信される電波信号に対し必要な電気的処理（増幅等の処理）を行うブルートゥース信号処理部２３と、操作ボタン部２１の操作に伴う入力処理や、入力した内容を変換しての表示処理、あるいは各部の連携処理などを実行するアプリケーションコンピュータ（ＣＰＵ）２５と、ブルートゥース信号処理部２３およびアプリケーションコンピュータ２５からの信号の送・受信を制御する制御信号処理部２４を備えている。
【００３１】
この簡易端末器２の操作ボタン部２１には、図５に示すように、電源ＯＮ／ＯＦＦボタン３１と、通話ボタン３２と、緊急ボタン３３と、アップ／ダウンボタン３４とを備えている。電源ＯＮ／ＯＦＦボタン３１は、操作により電源をＯＮあるいはＯＦＦするためのボタンスイッチである。通話ボタン３２は、この簡易端末器２からの操作によって一般的な通話の選択を行うためのボタンスイッチである。緊急ボタン３３は、この簡易端末器２からの、操作によって、緊急通話の選択を行うためのボタンスイッチである。アップ／ダウンボタン３４は操作によって液晶表示部２２に表示される０〜９の数字を１ずつアップあるいはダウンさせることにより１桁の数字を選択入力するためのボタンスイッチである。
【００３２】
この実施形態携帯電話装置においては、購入してから使用を開始するに際し、先ず電話（携帯電話）本体器の初期設定を行う。この初期設定は、電話本体器１の通話相手登録機能により、相手先登録部のアドレス１、アドレス２(図９の番号１，２)に、自宅と、たとえば掛かりつけ医院等の相手先氏名と電話番号とを登録する。また、相手先登録部のアドレス３から１０には、アドレス１及びアドレス２以外で登録が必要な氏名と相手電話番号とを登録しておく。アドレス１、アドレス２は「緊急」を選択したときに選択する相手先を登録し、アドレス３〜アドレス１０には「通話」を設定した際に、アップ／ダウンボタン３４の操作により選択する相手先を登録しておく。この相手先登録部には、他の設定、例えばアドレス１のみを「緊急」として他のアドレス２〜１０を「通話」としてもよいし、アドレス１〜１０を「通話」と設定することも可能である。
【００３３】
続いて、上記実施形態の簡易端末器の操作による（携帯）電話本体器１による通話を掛ける際の処理動作を、図７、図８に示すフロー図を参照して説明する。図７、図８においてそれぞれ図面の左側に示す（ａ）のフロー図は、簡易端末器２の処理フローを示し、図７，図８のそれぞれ図面の右側に示す（ｂ）のフロー図は、電話本体器１の処理フローを示している。以下の説明では簡易端末器２及び電話本体器１の所有者（利用者）から電話を発信する場合について説明する。
【００３４】
簡易端末器２で、ステップＳＴ１において、利用者が電源ＯＮ／ＯＦＦ３１ボタンを操作することにより、電源が投入される。これにより、電源ＯＮ／ＯＦＦボタン３１のランプが点灯する。次に、処理は、ステップＳＴ２へ移行する。電源が投入された後、利用者が一般通話を行うか、あるいは緊急通話を選択するかに応じ、実行される処理は異なるものとなる。
【００３５】
ステップＳＴ２においては番号入力有か否か判定される。利用者が一般通話を希望する場合は、アップ／ダウンボタン３４を操作する。例えばアップ／ダウンボタン３４をアップで一回操作すると、液晶表示部２２に数字「１」が表示される。このように、アップ／ダウンボタン３４の操作があるとアドレス１〜１０の選択のための番号が入力されたことになり、ステップＳＴ２の判定はＹＥＳで次にステップＳＴ３は移行する。
【００３６】
ステップＳＴ３においては、入力された番号をアプリケーションコンピュータ２５→制御信号処理部２４→ブルートゥース信号処理部２３→ブルートゥースアンテナ２０を経て電話本体器１へ送信する。電話本体器１は、ステップＳＴ２１において、簡易端末器２により送信されて来た番号を受信し、続いてステップＳＴ２２へ移行し、相手先登録部より受信した番号に対応するアドレスの相手先名を読み出し、その相手先名をアプリケーションコンピュータ１４→制御信号処理部１３→ブルートゥース信号処理部１５→ブルートゥースアンテナ４を経て、簡易端末器２に送信する。
【００３７】
簡易端末器２ではステップＳＴ４において電話本体器１から送信されて来た相手先名を受信し、続いてステップＳＴ５へ移行し、相手先名を液晶表示部２２に表示する。次に、ステップＳＴ６へ移行する。ステップＳＴ６においては、通話ボタン３２が操作されたか否か判定する。
【００３８】
ここでは、ステップＳＴ５において液晶表示部２２に表示された相手先名を見て利用者がその相手先名が自己の希望する相手先に一致する場合には、通話ボタン３２を操作することになる。この場合は、ステップＳＴ６の判定がＹＥＳとなり、処理は、次にステップＳＴ７へ移行する。しかし、表示された相手先名が希望相手先でない場合は、利用者は通話ボタン３２を操作せず、さらにアップ／ダウンボタン３４を、例えば１アップ操作し、液晶表示部２２に表示される数値を１歩進することになる。この場合、ステップＳＴ６の判定がＮＯとなり、処理は、ステップＳＴ２へ戻る。そして以後はステップＳＴ２→ステップＳＴ３→ステップＳＴ２１→ステップＳＴ２２→ステップＳＴ４→ステップＳＴ５の処理を再度実行し、電話本体器１の相手先登録部より、歩進した新たな番号に対応するアドレスに登録された相手先名を読み出して、その相手先名を液晶表示部２２に表示する。この一連の処理は、表示された相手先名が利用者の希望する相手先名と一致するまで繰り返される。
【００３９】
簡易端末器２ではステップＳＴ７において、一般発信信号と選択番号を、高周波信号に変換して、発信する。一方、電話本体器１ではステップＳＴ２３において簡易端末器２から送信されて来に信号を受信する。続いてステップＳＴ２４は移行する。
【００４０】
ステップＳＴ２４においては、送信されてきた信号により、一般通話か緊急通話のいずれが選択されたかを判定する。一般通話が選択された場合はステップＳＴ２５へ移行する。一方、緊急通話が選択された場合は、ステップＳＴ２９へ移行する。
【００４１】
電話本体器１ではステップＳＴ２５において簡易端末器２から受信した選択番号と同じアドレスに登録されている相手先番号へダイヤルする。次にステップＳＴ２６へ移行する。  
ステップＳＴ２６へおいては、携帯電話機能による通話を相手先とで行う。続いてステップＳＴ２７へ移行する。
【００４２】
ステップＳＴ２７においては、受信側か発信側による電話停止がなされたか否か判定する。受信側、つまり相手先、発信側つまり自分が電話停止した場合のいずれでも次に、ステップＳＴ２８へ移行する。ステップＳＴ２８においては、簡易端末器２に対し、通信停止信号を高周波信号に変換して発信する。電話本体器１においては、これにて通話処理を終了する。
【００４３】
簡易端末器２では、ステップＳＴ１０において、電話本体器１より、通信停止信号を受信すると、自身の電源をＯＦＦし、処理を終了する。
【００４４】
簡易端末器２において電源ＯＮ状態でアップ／ダウンボタン３４による番号入力がなされず、緊急ボタン３３が操作される場合がある。この場合は、ステップＳＴ２において、番号入力有かの判定ＮＯで、ステップＳＴ８へ移行する。ステップＳＴ８においては、緊急ボタン３３が操作されたか否か判定する。ここでは、緊急ボタン３３が操作された場合を想定しているので、ステップＳＴ８の判定はＹＥＳであり、次にステップＳＴ９へ移行する。ここで、もし緊急ボタン３３が操作されていない場合に処理はステップＳＴ２へ戻る。ステップＳＴ９においては、緊急発信信号を高周波信号に変換し、発信する。
【００４５】
電話本体器１では、ステップＳＴ２３において、簡易端末器２からの緊急発信信号を受信する。続いてステップＳＴ２４へ移行する。ステップＳＴ２４においては、受信した信号が通話発信信号か、緊急発信信号のいずれであるか判定する。通話発信信号の場合は、上述したようにステップＳＴ２５へ移行する。一方、緊急発信信号の場合はステップＳＴ２９へ移行する。ここでは緊急ボタン３３を操作した場合を想定しているので、ステップＳＴ２９以降の処理についてさらに説明する。
【００４６】
電話本体器１ではステップＳＴ２９において、相手先登録部のアドレス１に登録された相手先番号へのダイヤルインを行う。また引き続き、相手先登録部のアドレス２に登録された相手先番号へダイヤルインする。この複数相手先発信は、多者通話機能による。アドレス１、アドレス２の相手先とは、利用者の例えば自宅、掛かり付けの医者などである。続いて、ステップＳＴ３０へ移行する。
【００４７】
ステップＳＴ３０においては、通話状態になると、予め登録してある緊急メッセージに、ＧＰＳ機能により得られる位置情報を付加して緊急メッセージを繰り返し発信する。次にステップＳＴ３１へ移行する。ステップＳＴ３１においては、受信側による電話停止か否か判定する。受信側つまり相手先から、電話停止がなされない限り、ステップＳＴ３０の処理を継続する。受信側による電話停止がなされた場合は、ステップＳＴ３１の判定ＹＥＳで次に、ステップＳＴ２８へ移行する。
【００４８】
ステップＳＴ２８においては、一般通話のときの受信側等の電話停止と同様、簡易端末器２に対し、通信停止信号を高周波信号に変換して発信する。簡易端末器２ではステップＳＴ１０において、電話本体器１よりの通信停止信号を受信すると、自身の電源をＯＦＦする。
【００４９】
なお、上記実施形態において、緊急通話におけるステップＳＴ２９、ステップＳＴ３０で、予め録音した音声による発信や、位置情報を音声に変換して発信するようにしているが、このような機能を電話本体器１に持たせることが困難な場合には、この機能を別途サーバ機に代替させてもよい。
【００５０】
また、上記音声による発信や、位置情報の音声に変換しての発信に代えて、電話本体器１に予め、相手先登録部に相手先のメールアドレスも登録しておき、緊急ボタン３３の操作に応答して、アドレス１に登録された相手先メールアドレスに緊急メッセージを配信し、引き続き、アドレス２に登録された相手先メールアドレスに緊急メッセージを配信するようにしてもよい。
【００５１】
また、上記実施形態の簡易端末機２において、電源ＯＮ／ＯＦＦボタン３１、通話ボタン３２、緊急ボタン３３は、それぞれボタンの名称を、文字印刷や、文字印刷したシールを添付したボタンを使用しているが、これら操作ボタンに点字で名称を付すことにより、視覚障害者にも容易に使用可能な簡易端末器とすることができる。
【００５２】
また、上記実施形態では使用する簡易端末器２は、ハウジング２ａを、基体としてのステッキ２ｂの把持部２ｃに装着している。そのため、例えば老紳士等が、これを電話本体器１とともに、所持している場合、細かい手動操作に不得手な人であっても、面倒な思いをすることなく通話することができる。
【００５３】
ステッキを使用しない、あるいは必要としない人向きには、簡易端末器２を、他の携行物、例えば、御高齢のご婦人などの場合には、手押し車に、小学生にはランドセルに、その他の場合として、バッグ、カート、さらには警察官が所持する警棒、あるいは若い人などの場合には、ファッションベルト、ファッション腕輪、ファッションキーホルダなどのファッショングッズなどに装着してもよい。
【００５４】
上記実施形態において、電話本体器(携帯電話機)の相手先番号アドレスと、選択番号とを一致させることが、困難な場合は、他の実施形態として、簡易端末器に選択番号と相手先番号とを登録し、入力した選択番号に対応する相手先番号を電話本体器に発信することにより、電話本体器に登録されている電話番号の相手先名を入手して、その相手先氏名を簡易端末器の液晶表示器に表示するようにしてもよい。
【００５５】
この場合の簡易端末器における選択番号と電話番号の登録の仕方について説明する。ここで使用する簡易端末器２は、図６に示すように、操作ボタン部２１に、電源ＯＮ／ＯＦＦボタン３１、通話ボタン３２、緊急ボタン３３及びアップ／ダウンボタン３４の他に、確定ボタン４１、取消ボタン４２、登録ボタン４３を備えている。
【００５６】
ボタン３１〜３４は、図５に示したものと同様の機能を有するボタンである。この簡易端末器２では、電話番号の頭に選択番号を付加して登録する。番号は１から１０までであり、番号１０としては０を付加する。
【００５７】
具体的な登録方法としては、アップ／ダウンボタン３４を操作して、液晶表示部２２の表示を見ながら、選択番号を決定し、確定ボタン４１を操作し、選択番号を確定する。次に電話番号の上位第１桁の番号を入力するために、液晶表示部２２の表示を見ながらアップ／ダウンボタン３４を操作して、表示数値を変化させ入力すべき数値となると、確定ボタン４１を操作し、電話番号の上位第１桁を確定する。次に表示桁が次の下位の桁にシフトされるので、電話番号の上位第２桁の番号を入力するために、液晶表示部２２の表示をみながらアップ／ダウンボタン３４を操作して、表示数値を変化させ入力すべき数値となると、確定ボタン４１を操作し、電話番号の上位第２桁を確定する。以上のようにして、電話番号の最下位まで入力し、確定する。選択番号及び電話番号が入力され、確定すると、最後に登録ボタン４３を操作する。これにより選択番号の一つと電話番号が対で登録される。入力途中で確定した番号の取消は、取消ボタン４２を１回操作する毎に１桁単位で取消できる。また重複登録の場合は上書とする。これらの登録は、利用者本人が行ってもよいし、家人が行なってもよい。  登録後の一般通話時、あるいは緊急通話時の処理は、上記実施形態の場合と同様である。
【００５８】
また、上記実施形態において、電話本体器と簡易端末器間では、ブルートウースアンテナ、及びブルートウース信号処理部により信号の授受を無線で行っているが、ブルートウースに代えて、例えば電話本体器に微弱信号送受用のアダプタを接続し、これと簡易端末器との間で、他の微弱電波による信号授受を行うようにしてもよい。
【図面の簡単な説明】
【００５９】
【図１】この発明の一実施形態携帯電話装置の機器構成を示す概略ブロック図である。
【図２】同実施形態携帯電話装置を構成する電話本体器の回路構成を示すブロック図である。
【図３】同実施形態携帯電話装置を構成する簡易端末器の回路構成を示すブロック図である。
【図４】同実施形態携帯電話装置の電話本体器及び簡易端末器の外観を示す平面図である。
【図５】同実施形態の簡易端末器の操作ボタン部のボタン配置を示す図ある。
【図６】他の実施形態で使用する簡易端末器の操作ボタン部のボタン配置を示す図である。
【図７】上記実施形態で、簡易端末器から通話を行う際の簡易端末器及び電話本体器の処理動作を説明するためのフロー図である。
【図８】図７とともに、上記実施形態で、簡易端末器から通話を行う際の簡易端末器及び電話本体器の処理動作を説明するためのフロー図である。
【図９】上記実施形態の電話本体器における相手先登録部の記憶領域を説明する図である。
【符号の説明】
【００６０】
１                    電話本体器
２                    簡易端末器
３                    アンテナ
４                    ブルートウースアンテナ
５                    操作ボタン部
６                    液晶表示部
７                    高周波信号処理部
８                    変調・復調処理部
９                    音声信号処理部
１０                  オーディオアンプ
１１                  マイクロスピーカ
１２                  マイクロフォン
１３                  制御信号処理部
１４                  アプリケーションコンピュータ
１５                  ブルートウース信号処理部
２０                  ブルートウースアンテナ
２１                  操作ボタン部
２２                  液晶表示部
２３                  ブルートウース信号処理部
２４                  制御信号処理部
２５                  アプリケーションコンピュータ
３１                  電源ＯＮ／ＯＦＦボタン
３２                  通話ボタン
３３                  緊急ボタン
３４                  アップ／ダウンボタン
４１                  確認ボタン
４２                  取消ボタン
４３                  登録ボタン
【図１】
2007251496.tif 000003
【図２】
2007251496.tif 000004
【図３】
2007251496.tif 000005
【図４】
2007251496.tif 000006
【図５】
2007251496.tif 000007
【図６】
2007251496.tif 000008
【図７】
2007251496.tif 000009
【図８】
2007251496.tif 000010
【図９】
2007251496.tif 000011